(57)【要約】【課題】対物レンズアクチュエーターの高さの抑制、フレキシブル配線板の小型化、フレキシブル配線板の先端部の位置決めなどが可能となるように、配線基板とフレキシブル配線板との接続構造を改良した光ピックアップ装置を提供する。【解決手段】対物レンズアクチュエーター７の基板取付面７ｈに配線基板９を取付け、アクチュエーター７の可動部７ａ，７ｆに給電するフレキシブル配線板８の先端部を、配線基板９の下端に直角に近接させて配置し、配線基板９の下端部のランドとフレキシブル配線板８の先端部のランドを半田１１ｂで接続した構成の光ピックアップ装置とする。フレキシブル配線板８の先端に配線基板９に重ねる部分を設ける必要がなくなるので、アクチュエーターの高さ抑制やフレキシブル配線板の小型化が可能となる。基板取付面に支持凸部７ｐを設けてフレキシブル配線板８の先端部を支持させると、高さ方向の位置決めが可能となる。【選択図】図４
2010140552.tif 000002
【特許請求の範囲】
【請求項１】
対物レンズアクチュエーターの基板取付面に配線基板を取付け、この配線基板を介して対物レンズアクチュエーターの可動部に給電するフレキシブル配線板の先端部を、上記配線基板の下端に直角に近接させて配置し、上記配線基板の下端部に形成されたランドと、上記フレキシブル配線板の先端部に形成されたランドを半田付けしたことを特徴とする光ピックアップ装置。
【請求項２】
対物レンズアクチュエーターの基板取付面に支持凸部を配線基板の下端に沿わせて形成し、この支持凸部にフレキシブル配線板の先端部を支持させて高さ方向の位置決めをしたことを特徴とする請求項１に記載の光ピックアップ装置。
【請求項３】
配線基板の下端と支持凸部との隙間にフレキシブル配線板の先端を挿入したことを特徴とする請求項２に記載の光ピックアップ装置。
【請求項４】
支持凸部の上面に浅い凹部を形成し、この凹部にフレキシブル配線板の先端部を嵌め込んで横方向の位置決めをしたことを特徴とする請求項２又は請求項３に記載の光ピックアップ。
【発明の詳細な説明】
【技術分野】
【０００１】
本発明は、光ディスク記録・再生装置などに搭載される光ピックアップ装置に関し、特に、対物レンズアクチュエーターに取付けられる配線基板と、この配線基板を介して対物レンズアクチュエーターの可動部に給電するフレキシブル配線板との接続構造を改良した光ピックアップ装置に関する。
【背景技術】
【０００２】
従来の光ピックアップ装置の一つとして、対物レンズアクチュエーターの基板取付面に配線基板を取付け、この配線基板を介して対物レンズアクチュエーターの可動部に給電するフレキシブル配線板の上方に折り曲げた先端部分を上記配線基板に重ね合わせて半田付けしたものが知られている。
【０００３】
一方、配線基板にフレキシブル配線板の先端部分を重ね合わせないで半田接続するタイプの光ピックアップ装置として、溝を備えた保持部材に貫通穴を備えた給電基板（配線基板）を取付け、フレキシブル配線板を１８０°曲げて、その先端の端子部を給電基板の貫通穴から保持部材の溝に挿入し、フレキシブル配線板の先端端子部の出力端子電極と給電基板の入力端子電極を半田付けしたものが提案されている（特許文献１）。
【０００４】
また、対物レンズアクチュエーターの可動部を支える複数の弾性線材の端部に接続端子を設け、この接続端子とフレキシブル配線板の先端部分のランドを直接半田付けした光ピックアップ装置も提案されている（特許文献２）。
【特許文献１】特開２００２−２７９６６２号公報
【特許文献２】特開平８−１２４１９４号公報
【発明の開示】
【発明が解決しようとする課題】
【０００５】
しかしながら、前述した従来の光ピックアップ装置では、配線基板に重ね合わせるフレキシブル配線板の先端部分の面積を縮小し難いため、対物レンズアクチュエーターの高さの抑制や、フレキシブル配線板の小型化が難しいという問題があった。
【０００６】
一方、前記特許文献１の光ピックアップ装置では、給電基板と保持部材に貫通穴と溝を形成する必要があるため、加工が複雑になり、しかも、貫通穴が形成される給電基板は必然的に大型化するので、対物レンズアクチュエーターの高さを抑制することがやはり難しいという問題があった。また、この光ピックアップ装置は、フレキシブル配線板を１８０°曲げているためテンションが発生し、断線の原因になるという問題もあった。
【０００７】
これに対し、前記特許文献２の光ピックアップ装置は、配線基板を省略できるが、対物レンズアクチュエーターの可動部を支える複数の弾性線材の端部に設けられた接続端子と、フレキシブル配線板の先端部分のランドを直接半田付けする作業は、フレキシブル配線板の先端部分の位置が定まらないので極めて面倒であり、作業性が悪いという問題があった。
【０００８】
本発明は上記事情の下になされたもので、その解決しようとする課題は、対物レンズアクチュエーターの高さの抑制、フレキシブル配線板の小型化、フレキシブル配線板の先端部の位置決めなどが可能となるように、配線基板とフレキシブル配線板との接続構造を改良した光ピックアップ装置を提供することにある。
【課題を解決するための手段】
【０００９】
上記課題を解決するため、本発明に係る光ピックアップ装置は、対物レンズアクチュエーター（ＡＣＴ）の基板取付面に配線基板（ＰＣＢ）を取付け、この配線基板を介して対物レンズアクチュエーターの可動部に給電するフレキシブル配線板（ＦＰＣ）の先端部を、上記配線基板の下端に直角に近接させて配置し、上記配線基板の下端部に形成されたランドと、上記フレキシブル配線板の先端部に形成されたランドを半田付けしたことを特徴とするものである。
【００１０】
本発明の光ピックアップ装置においては、対物レンズアクチュエーターの基板取付面に支持凸部を配線基板の下端に沿わせて形成し、この支持凸部にフレキシブル配線板の先端部を支持させて高さ方向の位置決めをすることが好ましい。そして、配線基板の下端と支持凸部との隙間にフレキシブル配線板の先端を挿入することが好ましい。更に、支持凸部の上面に浅い凹部を形成し、この凹部にフレキシブル配線板の先端部を嵌め込んで横方向の位置決めをすることも好ましい。
【発明の効果】
【００１１】
本発明の光ピックアップ装置のように、フレキシブル配線板の先端部を配線基板の下端に直角に近接させて配置し、配線基板の下端部に形成されたランドとフレキシブル配線板の先端部に形成されたランドを半田付けすると、従来のように配線基板に対する重ね合わせ部分をフレキシブル配線板の先端部に形成して配線基板に重ね合わせる必要がないので、配線基板の高さ寸法を減少させて対物レンズアクチュエーター（以下、単にアクチュエーターと記す）の高さを抑制することが可能となる。配線基板の高さ寸法の減少は、前記特許文献１のように配線基板にフレキシブル配線板を挿通する貫通穴を形成する場合は困難であるが、本発明ではそのような貫通孔を配線基板に形成しないので、高さ寸法の減少は容易である。そして、フレキシブル配線板も、重ね合わせ部分がなくなる分だけ小型化するので、フレキシブル配線板の作製時にＦＰＣ材料シートからの取り数を増加させることが可能となる。
【００１２】
また、アクチュエーターの基板取付面に支持凸部を配線基板の下端に沿わせて形成し、この支持凸部にフレキシブル配線板の先端部を支持させて高さ方向の位置決めをした光ピックアップ装置は、配線基板の下端部のランドとフレキシブル配線板の先端部のランドとの半田付けを容易かつ正確に行えるので、作業性が向上し、半田付け不良が発生し難くなる。
【００１３】
そして、配線基板の下端と支持凸部との隙間にフレキシブル配線板の先端を挿入した光ピックアップ装置は、半田付けの際にフレキシブル配線板の先端部の上下動が阻止されるので、半田付け作業を一層容易かつ正確に行うことができるようになる。
【００１４】
更に、支持凸部の上面に浅い凹部を形成し、この凹部にフレキシブル配線板の先端部を嵌め込んで横方向の位置決めをした光ピックアップ装置は、半田付けの際にフレキシブル配線板の先端部が上下方向のみならず横方向にも固定されることになるので、半田付け作業をより一層容易かつ正確に行うことができるようになる。
【発明を実施するための最良の形態】
【００１５】
以下、図面を参照して本発明の具体的な実施形態を詳述する。
【００１６】
図１は本発明の一実施形態に係る光ピックアップ装置の平面図、図２〜図４は同光ピックアップ装置に搭載される対物レンズアクチュエーターの斜視図であって、図２は配線基板とフレキシブル配線板を取付ける前の状態を、図３は配線基板とフレキシブル配線板を取付けた状態を、図４は取付けた配線基板とフレキシブル配線板のランド同士を半田付けした状態を示すものであり、図５は同アクチュエーターの概略部分断面図である。
【００１７】
図１に示す光ピックアップ装置は、光ディスク記録・再生装置などに搭載されるものであって、金属製のスライドベース１の裏面側の一側端（図１では左側端）には、レーザービームを照射するレーザーダイオード２が装着されており、このレーザーダイオード２の前方（照射方向）には、レーザービームを回折させて３ビームを発生させる回折格子３が装着されている。そして、この回折格子３の前方には、ビームを反射と透過に分けて２分割するビームスプリッター４と、これらのビームを上方へ反射させる立上げミラー（図１には表れていない）が装着されており、さらに、ビームスプリッター４の片側にはセンサーレンズ５と光検出器６が装着されている。
【００１８】
スライドベース１の表面側には、ビームを集光して光ディスクに照射する対物レンズ７ａのフォーカス制御、トラック制御、チルト制御を行うアクチュエーター７が搭載されており、対物レンズ７ａが前記立上げミラーの真上にくるように位置決めされている。そして、後で詳細に説明するように、アクチュエーター７の可動部（対物レンズ７ａを保持するホルダー）に給電するためのフレキシブル配線板８の先端が、アクチュエーター７の基板取付面に取付けられた配線基板９に半田付けされて接続されている。
【００１９】
また、スライドベース１の両側には軸受部１０ａ，１０ｂが設けられており、この軸受部１０ａ，１０ｂによって光ディスク記録・再生装置の２本のガイド軸（主軸と副軸）にスライド自在に搭載されるようになっている。
【００２０】
このような光ピックアップ装置は、光ディスク記録・再生装置の２本のガイド軸に沿って光ディスクの回転テーブルの方へ移動しながら、レーザーダイオード２から発せられたレーザービームを光ディスクに照射し、光ディスクからの反射光を光検出器６で検出することによって、記録・再生が行われる。即ち、レーザーダイオード２から発せられたビームは、回折格子３で３ビームに回折され、ビームスプリッター４を透過して立上げミラーで上方に反射され、対物レンズ７ａで集光されて光ディスクに照射される。そして、光ディスクで反射された光は、対物レンズ７ａを通って立上げミラーで反射され、ビームスプリッター４で反射されてセンサーレンズ５を透過し、光検出器６で検出されることによって、記録・再生が行われる。
【００２１】
この光ピックアップ装置の大きい特徴は、対物レンズアクチュエーター７、特に、このアクチュエーター７の基板取付面に取付けられる配線基板８と、この配線基板を介してアクチュエーター７の可動部に給電するフレキシブル配線板９との接続構造にある。
【００２２】
このアクチュエーター７は、図２〜図４に示すように、アクチュエータベース７ｂの上にワイヤ保持部材７ｃが接着剤で取付固定されており、このワイヤ保持部材７ｃの両側のゲル充填部７ｄを通って前方へ突き出す片側３本（両側で６本）のワイヤ７ｅによって、レンズホルダー７ｆが支持されている。即ち、このレンズホルダー７ｆの左右側壁部には小基板７ｇが貼着されており、この小基板７ｇのランドに各ワイヤ７ｅの先端を半田付けすることによって、レンズホルダー７ｆが可動状態で各ワイヤ７ｅにより支持されている。そして、ワイヤ７ｅの後端部は、ワイヤ保持部材７ｃの両側のゲル充填部７ｄを貫通し、ワイヤ保持部材７ｃの後端面７ｈに接着剤で貼着された配線基板９の両側の６つのランドに半田１１ａで接続固定されている。このゲル充填部７ｄはワイヤ７ｅの不要な共振を吸収するものであって、例えばシリコーン系のゲル剤等が充填されている。
【００２３】
レンズホルダー７ｆの外周壁の内側にはフォーカス用コイル７ｉが嵌め込まれて接着されており、また、外周壁の前後外壁面にはトラッキング用コイル７ｊが貼着されている。そして、このレンズホルダー７ｆの下面には、チルト用２連コイル（図に表れていない）がヨーク遊挿口（図に表れていない）を取り囲むように貼着されており、このヨーク遊挿口にはアクチュエータベース７ｂから立ち上がる左右のヨーク（図に表れていない）が下方から遊挿されている。また、レンズホルダー７ｆの前後には一組のマグネット７ｋ，７ｋが配置されて、アクチュエータベース７ｂから立ち上がる取付片７ｍ，７ｍに取付固定されている。
【００２４】
このアクチュエーター７の基板取付面、即ち、ワイヤ保持部材７ｃの後端面７ｈには、配線基板９の位置決めを行う一対の突起７ｎ，７ｎが突設されている。また、この後端面７ｈの下端には、フレキシブル配線板８の位置決めを行う長方形の水平な支持凸部７ｐが、後端面７ｈに取付けられる配線基板９の下端に沿うように突設されており、この支持凸部７ｐの上面には、フレキシブル配線板８の横方向の位置決めを行う浅い溝状の凹部７ｑ（図２を参照）が形成されている。
【００２５】
上記の配線基板９は、その一対の位置決め孔９ａ，９ａを上記の一対の突起７ｎ，７ｎに嵌め込んで位置決めされた状態で、ワイヤ保持部材７ｃの後端面７ｈに接着剤で貼着されており、前述のように、配線基板９の両側の６つのランドには、レンズホルダー７ｆを可動に支える６本のワイヤ７ｅの後端部が半田１１ａで接続固定されている。そして、この配線基板９とワイヤ７ｅを通じてアクチュエーター７の可動部（対物レンズ７ａを保持したレンズホルダー７ｆ）のフォーカス用、トラッキング用、チルト用のそれぞれのコイルに給電するための前記フレキシブル配線板８の先端部が、配線基板９の下端に直角に近接して配置されており、配線基板９の下端とフレキシブル配線板８の先端が半田１１ｂで接続されている。
【００２６】
更に詳しく説明すると、フレキシブル配線板８の先端部は、図３に示すように支持凸部７ｐの浅い凹部７ｑに嵌まり込んで横方向（左右方向）に位置決めされて支持凸部７ｐに支持されると共に、この支持凸部７ｐによって配線基板９の下端にフレキシブル配線板８の先端が位置するように高さ方向の位置決めが行われ、図５に示すように、フレキシブル配線板８の先端部が配線基板９の下端と支持凸部７ｎの凹部７ｑとの隙間に挿入されている。そして、配線基板９の下端部に形成されたランド（入力端子電極）９ｂと、フレキシブル配線板８の先端部に形成されてランド（出力端子電極）８ａが、ブリッジ半田１１ｂで接続されている。
【００２７】
本発明の光ピックアップ装置において、アクチュエーター７の基板取付面（ワイヤ保持部材７ｆの後端面７ｈ）に取付けられる配線基板９と、この配線基板９を介してアクチュエーター７の可動部に給電するフレキシブル配線板８を、上記の接続構造で接続すると、従来のように配線基板に対する重ね合わせ部分をフレキシブル配線板の先端部に形成して配線基板に重ね合わせる必要がないので、配線基板９の高さ寸法を減少させてアクチュエーター７の高さを抑制することが可能となる。そして、フレキシブル配線板８も、先端の重ね合わせ部分がなくなる分だけ小型化するので、フレキシブル配線板８の作製時にＦＰＣ材料シートからの取り数を増加させることが可能となり、コストダウンをもたらすことになる。
【００２８】
しかも、フレキシブル配線板８の先端部は、支持凸部７ｎと浅い凹部７ｑによって高さ方向と横方向の位置決めが行われ、更に、配線基板９の下端と支持凸部７ｐの凹部７ｑとの隙間に挿入されることによって、上下左右に固定された状態となるので、配線基板９の下端部のランド９ｂとフレキシブル配線板８の先端部のランド８ａとの半田付け作業を容易かつ正確に行うことができるようになり、作業性が向上すると共に半田付け不良が発生し難くなる。
【００２９】
尚、上記の実施形態では、フレキシブル配線板８の高さ方向の位置決めを行う支持凸部７ｐの上面に、横方向の位置決めを行う浅い凹部７ｑを形成しているが、この浅い凹部７ｑは省略しても差し支えない。
【図面の簡単な説明】
【００３０】
【図１】本発明の一実施形態に係る光ピックアップ装置の平面図である。
【図２】同光ピックアップ装置に搭載される対物レンズアクチュエーターの斜視図であって、配線基板とフレキシブル配線板を取付ける前の状態を示すものである。
【図３】同光ピックアップ装置に搭載される対物レンズアクチュエーターの斜視図であって、配線基板とフレキシブル配線板を取付けた状態を示すものである。
【図４】同光ピックアップ装置に搭載される対物レンズアクチュエーターの斜視図であって、取付けた配線基板とフレキシブル配線板のランド同士を半田付けした状態を示すものである。
【図５】同アクチュエーターの概略部分断面図である。
【符号の説明】
【００３１】
７    対物レンズアクチュエーター
７ａ  対物レンズ（可動部）
７ｃ  ワイヤ保持部材
７ｅ  ワイヤ
７ｆ  レンズホルダー（可動部）
７ｈ  ワイヤ保持部材の後端面（基板取付面）
７ｐ  支持凸部
７ｑ  浅い凹部
８    フレキシブル配線板
８ａ  ランド
９    配線基板
９ｂ  ランド
１１ａ，１１ｂ  半田
【図１】
2010140552.tif 000003
【図２】
2010140552.tif 000004
【図３】
2010140552.tif 000005
【図４】
2010140552.tif 000006
【図５】
2010140552.tif 000007